(57)【特許請求の範囲】
【請求項１】
少なくとも１つの記録ディスクに少なくともストリームデータを記録再生する記録再生装置であって、
あらかじめ定められた全記憶容量設定値よりも、各上記記録ディスクの全記憶容量を足し合わせた値の方が大きいとき、上記各記録ディスクの全記憶容量を足し合わせた値に関わらず、上記全記憶容量設定値のパーティションを、上記ストリームデータを読み書きするためのパーティションとして上記記録ディスクに作成するパーティション作成手段を備えていることを特徴とする記録再生装置。
【請求項２】
上記記録ディスクは複数あり、
上記パーティションを作成する対象である上記記録ディスクごとに、上記全記憶容量設定値から、当該記録ディスク以外の他の、上記パーティションを作成済みの各上記記録ディスクに作成された各上記パーティションの容量を足し合わせた総容量を減算した値の容量と、上記パーティションを作成する対象である上記記録ディスクの全記憶容量とのうち、いずれか小さいほうの容量を、上記パーティションの容量として算出するパーティション容量算出手段をさらに備え、
上記パーティション作成手段は、上記パーティション容量算出手段によって算出された容量の上記パーティションを、上記記録ディスクに作成することを特徴とする請求項１に記載の記録再生装置。
【請求項３】
上記記録ディスクは複数あり、
上記全記憶容量設定値を上記記録ディスクの数で割った値の容量を、上記各記録ディスクに作成するパーティションの容量として算出するパーティション容量算出手段をさらに備え、
上記パーティション作成手段は、上記パーティション容量算出手段によって算出された容量の上記パーティションを、各上記記録ディスクに作成するとともに、各上記記録ディスクにおける残りの領域を未使用領域として設定することを特徴とする請求項１に記載の記録再生装置。
【請求項４】
上記パーティション作成手段は、
各上記記録ディスクにおける外周側に上記パーティションを作成するとともに、上記未使用領域を各上記記録ディスクにおける内周側に設定することを特徴とする請求項３に記載の記録再生装置。
【請求項５】
上記パーティション作成手段は、
あらかじめ定められたデータ記憶容量設定値を上記記録ディスクの数で割った値の容量の、一般データを記録するためのデータパーティションを、各上記記録ディスクに作成するとともに、
上記パーティション容量算出手段によって算出された容量から、上記データパーティションの容量を減算した値の容量の上記パーティションを、ストリームデータを記録するためのストリームパーティションとして上記記録ディスクに作成することを特徴とする請求項３に記載の記録再生装置。
【請求項６】
上記パーティション作成手段は、
各上記記録ディスクにおける外周側から順に、上記ストリームパーティションおよび上記データパーティションを作成することを特徴とする請求項５に記載の記録再生装置。
【請求項７】
少なくとも１つの記録ディスクにパーティションを作成するパーティション作成方法であって、
あらかじめ定められた全記憶容量設定値よりも、上記記録ディスクの個々の全記憶容量を足し合わせた値の方が大きいとき、上記各記録ディスクの全記憶容量を足し合わせた値に関わらず、上記全記憶容量設定値の上記パーティションを、上記記録ディスクに作成するパーティション作成ステップを含んでいることを特徴とするパーティション作成方法。
【請求項８】
請求項１からの６のいずれか１項に記載の記録再生装置を動作させるパーティション作成プログラムであって、コンピュータを上記の各手段として機能させるためのパーティション作成プログラム。
【請求項９】
請求項８に記載のパーティション作成プログラムを記録しているコンピュータ読み取り可能な記録媒体。
【発明の詳細な説明】
【技術分野】
【０００１】
本発明は、テレビジョン放送などの動画像信号を受信し、かつ記録再生することができる記録再生装置に関する。また、このような記録再生装置が使用する記録ディスクにパーティションを作成するパーティション作成方法、パーティション作成プログラム、および記録媒体に関する。
【背景技術】
【０００２】
現在、光学技術や磁気技術の進歩により、これらを応用した記憶装置が盛んに利用されている。なかでも、テレビジョン放送などの大容量の動画像信号を記録するため、従来、磁気テープを利用したビデオテープレコーダが広汎に使用されてきた。
【０００３】
しかしながらビデオテープレコーダは、磁気テープを利用するため、テープ中の任意の位置に直ちにアクセスすることができない。そのため、磁気テープに記録済みの番組を探して再生するときや、放送中の番組を記録するときに以前に記録した番組に上書きされることを避けるために未使用の領域を探す場合などに、ユーザに、磁気テープの早送りや巻き戻しなどの煩雑な操作を要求していた。
【０００４】
そこで、このような問題を解決する手段として、近年、光学ディスクや磁気ディスクを利用した記録再生装置が登場している。光学ディスクや磁気ディスクを利用した記録再生装置においては、上述した再生時や記録時の領域検索を、記録再生用ヘッドの移動だけで行うことができる。そのため、磁気テープを用いた記録再生装置に比べて、より高速に記録再生領域を検索できる。
【０００５】
上述した記録再生装置のうち、磁気ディスクを利用したものでは、磁気ディスクのうち固定式の磁気ディスク装置であるハードディスクドライブが主に使用されている。ハードディスクドライブを使用した記録再生装置は、製造時に内蔵される１台もしくは複数台のハードディスクドライブを、固定的に使用する。元々装備されたハードディスクドライブを他のドライブに入れ替えたり、あるいは複数のハードディスクドライブの個々を頻繁に入れ替えて使用したりすることは想定されていない。したがって、ハードディスクドライブを使用する記録再生装置において実行されるソフトウェアは、通常、記録再生装置に接続されたハードディスクドライブの全容量を使用するように、設計されている。
【発明の開示】
【発明が解決しようとする課題】
【０００６】
ハードディスクを利用する記録再生装置において、接続されるハードディスクが変更されることがある。たとえば製造期間中や修理対応時に使用しているハードディスクドライブモデルやハードディスクドライブ接続数を変更すると記録再生装置で利用できるハードディスクドライブ容量が変化してしまう。
【０００７】
ハードディスクドライブ容量の変化を放置すれば旧ハードディスクドライブモデルの記録再生装置のユーザと新しいハードディスクドライブモデルの記録再生装置のユーザとの間に不公平感が生まれる。この問題を解決するためには、ハードディスクドライブの容量に応じてその都度ソフトウェアを変更する必要があった。
【０００８】
さらに、ハードディスクドライブを使用する記録再生装置では一般に、動画像信号そのものであるストリームデータと、それらの記録再生などに使用される付加情報である一般データを記録する。ストリームデータの容量は一般データの容量に比べて非常に大きい。
【０００９】
記録ディスクにデータを記録再生する記録再生装置は、記録領域をある一定サイズのブロックに分割し、ブロック単位でデータを読み書きする。このブロックの容量を、データの容量に応じて設計することによって、効率的なデータアクセスが可能となる。
【００１０】
ところがハードディスクドライブを使用する記録再生装置では、上述したように、まったく容量の異なる種類のデータを同時に扱う必要がある。そのため、ハードディスク内を二つの領域（パーティション）に分割して、それぞれに異なる容量のブロックを設定し使用することによって、効率的なデータアクセスを実現している。
【００１１】
しかしながら、この領域分割を行う際に、ストリームデータ用パーティションと一般データ用パーティションの容量は、従来、固定的な容量で割り当てている。あるいは、すべてのハードディスクの容量に対する、固定的な割合によって割り当てている。これらの手法が用いられていることから、上述したようなハードディスクドライブのモデルや接続数が変更されてしまうと、各領域の容量を元々意図した大きさに割り当てることが困難となる。
【００１２】
本発明は上記の課題を解決するためになされたものであり、その目的は、記録ディスクの変更や追加があった後でも、使用する記憶容量を増加させることのない記録再生装置、パーティション作成方法、パーティション作成プログラム、および記録媒体を提供することにある。
【課題を解決するための手段】
【００１３】
本発明に係る記録再生装置は、上記の課題を解決するために、
少なくとも１つの記録ディスクに少なくともストリームデータを記録再生する記録再生装置であって、
あらかじめ定められた全記憶容量設定値よりも、各上記記録ディスクの全記憶容量を足し合わせた値の方が大きいとき、上記全記憶容量設定値のパーティションを、上記ストリームデータを読み書きするためのパーティションとして上記記録ディスクに作成するパーティション作成手段を備えていることを特徴としている。
【００１４】
上記の構成によれば、記録再生装置には、全記憶容量設定値があらかじめ定められている。この設定値は、記録再生装置がストリームデータの記録再生に実際に利用する容量の値であり、あらかじめ仕様として定められている。
【００１５】
記録再生装置は、少なくとも１つの記録ディスクに、少なくともストリームデータを記録する。記録ディスクが複数あるなら、それぞれに個別にストリームデータを記録することもできる。
【００１６】
記録再生装置は、記録ディスクを初期化する。このときパーティション作成手段は、上述の全記憶容量設定値が、各記録ディスクの全記憶容量を足し合わせた値よりも小さいか否かを判定する。ここでいう足し合わせた値は、記録ディスクの数が１つのときには、その記録ディスクの全記憶容量に相当する。また、たとえば２００ギガバイトの全記憶容量を持つ記録ディスクが１つと、３００ギガバイトの全記憶容量を持つ記録ディスクが１つあるときには、５００ギガバイトが、ここでいう足し合わせた値に相当する。
【００１７】
もし、規定の全記憶容量設定値が、各記録ディスクの全記憶容量を足し合わせた値よりも小さいなら、パーティション作成手段は、全記憶容量設定値のパーティションを記録ディスクに作成する。記録ディスクが１つなら、その記録ディスクに、全記憶容量設定値のパーティションを作成することになる。一方、記録ディスクが複数あるなら、各記録ディスクに個別に作成するパーティションの各容量を足し合わせた値が、全記憶容量設定値に一致するように、各記録ディスクにパーティションを作成することになる。
【００１８】
たとえば全記憶容量設定値が２００ギガバイトである一方、記録再生装置が元々、２００ギガバイトの記録ディスクをストリームデータの記録再生に利用していたとする。ここで、この記録ディスクが故障してしまい、あらたに３００ギガバイトの記録ディスクに変更したとする。
【００１９】
記録ディスクの変更後、記録再生装置は、あらたに認識した３００ギガバイトの記録ディスクを初期化する。ここで、変更後の記録ディスクの全記憶容量（３００ギガバイト）は、全記憶容量設定値（２００ギガバイト）よりも大きい。そのためパーティション作成手段は、２００ギガバイトのパーティションを記録再生装置に作成する。残りの１００ギガバイトは、未使用領域として設定する。したがって、記録再生装置は、記録ディスク変更の前後において、規定の２００ギガバイトの容量だけを利用することになる。
【００２０】
以上のように、本発明では、ストリームデータの記録再生に実際に使用するパーティションの総容量を、記録ディスクの交換や追加の前後において同一に保つことができる効果を奏する。これにより、旧モデルの記録再生装置、すなわち出荷当初から搭載される記録ディスクを利用し続ける記録再生装置を所有するユーザに、不公平感を与えることがない。さらには、記録再生装置の取り扱い説明書や仕様書を、記録ディスクの交換や追加後に変更しなくて済む。
【００２１】
本発明に係るパーティション作成方法は、上記の課題を解決するために、
少なくとも１つの記録ディスクにパーティションを作成するパーティション作成方法であって、
あらかじめ定められた全記憶容量設定値よりも、上記記録ディスクの個々の全記憶容量を足し合わせた値の方が大きいとき、上記全記憶容量設定値の上記パーティションを、上記記録ディスクに作成するパーティション作成ステップを含んでいることを特徴としている。
【００２２】
上記の構成によれば、本発明に係る記録再生装置と同様の作用、効果を奏する。
【００２３】
また、本発明に係る記録再生装置では、さらに、
上記記録ディスクは複数あり、
上記パーティションを作成する対象である上記記録ディスクごとに、上記全記憶容量設定値から、当該記録ディスク以外の他の、上記パーティションを作成済みの各上記記録ディスクに作成された各上記パーティションの容量を足し合わせた総容量を減算した値の容量と、上記パーティションを作成する対象である上記記録ディスクの全記憶容量とのうち、いずれか小さいほうの容量を、上記パーティションの容量として算出するパーティション容量算出手段をさらに備え、
上記パーティション作成手段は、上記パーティション容量算出手段によって算出された容量の上記パーティションを、上記記録ディスクに作成することが好ましい。
【００２４】
上記の構成によれば、記録再生装置は複数の記録ディスクを利用する。すなわち複数の記録ディスクにストリームデータを記録する。
【００２５】
パーティション容量算出手段は、記録ディスクごとに、作成するパーティションの容量を算出する。具体的には、規定の全記憶容量設定値から、パーティション作成対象として選択された記録ディスク以外の、他の各記録ディスクに作成済みの各パーティションの容量を足し合わせた総容量を減算した値の容量を求める。こうして求めた容量と、パーティション作成対象の記録ディスクの全記憶容量とのうち、いずれか小さいほうの容量を、当該記録ディスクに作成するパーティションの容量として算出する。
【００２６】
たとえば、全記憶容量設定値が４００ギガバイトだとする。そしてパーティション作成手段が、１００ギガバイトの全記憶容量を有する記録ディスクＡ、１２０ギガバイトの全記憶容量を有する記録ディスクＢ、および２００ギガバイトの全記憶容量を有する記録ディスクＣに、それぞれパーティションを作成するとする。このとき、１００＋１２０＋２００＝４２０ギガバイトであり、この値は全記憶容量設定値（４００ギガバイト）よりも大きい。したがってパーティション作成手段は、これら３つの記録ディスクに合計して４００ギガバイトのパーティションをそれぞれ作成する。
【００２７】
ここで、パーティション作成手段が、まず、パーティションの作成対象として、記録ディスクＡを選択したとする。このときパーティション容量算出手段は、記録ディスクＡの全記憶容量（１００ギガバイト）と、全記憶容量設定値（４００ギガバイト）とを比較する。前者は後者よりも小さいので、パーティション容量算出手段は、記録ディスクＡに作成するパーティションの容量として、１００ギガバイトを算出する。これによりパーティション作成手段は、１００ギガバイトのパーティションを記録ディスクＡに作成する。
【００２８】
つぎに、パーティション作成手段が、パーティションの作成対象として、記録ディスクＢを選択したとする。パーティション容量算出手段は、全記憶容量設定値（４００ギガバイト）から、記録ディスクＡに作成済みのパーティションの容量（１００ギガバイト）を減算する。この値は３００ギガバイトである。記録ディスクＢの全記憶容量（１２０ギガバイト）は、３００ギガバイトよりも小さいので、パーティション容量算出手段は、記録ディスクＢに作成するパーティションの容量として、１２０ギガバイトを算出する。これによりパーティション作成手段は、１２０ギガバイトのパーティションを記録ディスクＢに作成する。
【００２９】
最後にパーティション作成手段は、パーティションの作成対象として、記録ディスクＣを選択する。このときパーティション容量算出手段は、全記憶容量設定値（４００ギガバイト）から、記録ディスクＡに作成済みのパーティションの容量（１００ギガバイト）と、記録ディスクＢに作成済みのパーティションの容量（１２０ギガバイト）とを減算する。この値は１８０ギガバイトである。記録ディスクＢの全記憶容量（２００ギガバイト）は、１８０ギガバイトよりも大きいので、パーティション容量算出手段は、記録ディスクＢに作成するパーティションの容量として、記録ディスクＢの全記憶容量（２００ギガバイト）ではなく、１８０ギガバイトを算出する。これによりパーティション作成手段は、１８０ギガバイトのパーティションを記録ディスクＣに作成する。記録ディスクＢの有する残りの２０ギガバイトについては、未使用領域として設定する。
【００３０】
以上のように、記録再生装置は、各記録ディスクにパーティションを効率的に作成できる効果を奏する。
【００３１】
また、本発明に係る記録再生装置では、さらに、
上記記録ディスクは複数あり、
上記全記憶容量設定値を上記記録ディスクの数で割った値の容量を、上記各記録ディスクに作成するパーティションの容量として算出するパーティション容量算出手段をさらに備え、
上記パーティション作成手段は、上記パーティション容量算出手段によって算出された容量の上記パーティションを、各上記記録ディスクに作成するとともに、各上記記録ディスクにおける残りの領域を未使用領域として設定することが好ましい。
【００３２】
上記の構成によれば、記録再生装置は複数の記録ディスクを利用する。すなわち複数の記録ディスクにストリームデータを記録する。
【００３３】
パーティション作成手段は、全記憶容量設定値を、記録ディスクの数で割った値の容量のパーティションを、各記録ディスクに作成するとともに、各記録ディスクにおける残りの領域を未使用領域として設定する。
【００３４】
たとえば、全記憶容量設定値が３００ギガバイトだとする。そしてパーティション作成手段が、１２０ギガバイトの全記憶容量を有する記録ディスクＡ、１５０ギガバイトの全記憶容量を有する記録ディスクＢ、および２００ギガバイトの全記憶容量を有する記録ディスクＣに、それぞれパーティションを作成するとする。このとき、１２０＋１５０＋２００＝４７０ギガバイトであり、この値は全記憶容量設定値（３００ギガバイト）よりも大きい。したがってパーティション作成手段は、これら３つの記録ディスクに合計して３００ギガバイトのパーティションをそれぞれ作成する。
【００３５】
ここで、パーティション容量算出手段は、全記憶容量設定値を、記録ディスクの数で割った値の容量を算出する。上記の例では、全記憶容量設定値は３００ギガバイトであり、記録ディスクの数は３つである。そのため、３００÷３＝１００ギガバイトを、各記録ディスクに作成するパーティションの容量として算出する。
【００３６】
パーティション作成手段は、１００ギガバイトのパーティションを、記録ディスクＡ、記録ディスクＢ、および記録ディスクＣにそれぞれ作成する。記録ディスクＡの全記憶容量は１２０ギガバイトである。そのためパーティション作成手段は、１００ギガバイトのパーティションを記録ディスクに作成するとともに、残りの２０ギガバイトを、記録ディスクＡの内周側に未使用領域として設定する。
【００３７】
同様に、記録ディスクＢの全記憶容量は１５０ギガバイトである。そのためパーティション作成手段は、１００ギガバイトのパーティションを記録ディスクＢに作成するとともに、残りの５０ギガバイトを、記録ディスクＢの内周側に未使用領域として設定する。
【００３８】
同様に、記録ディスクＣの全記憶容量は２００ギガバイトである。そのためパーティション作成手段は、２００ギガバイトのパーティションを記録ディスクＣに作成するとともに、残りの１００ギガバイトを、記録ディスクＣの内周側に未使用領域として設定する。
【００３９】
以上のように、パーティション作成手段は、利用可能なパーティションの容量を、各記録ディスクに分散して割り当てている。これにより、記録ディスクの故障によるデータ消失のリスクを最小限にすることが出来る効果を奏する。
【００４０】
また、本発明に係る記録再生装置では、さらに、
上記パーティション作成手段は、
各上記記録ディスクにおける外周側に上記パーティションを作成するとともに、上記未使用領域を各上記記録ディスクにおける内周側に設定することが好ましい。
【００４１】
上記の構成によれば、パーティション作成手段は、各記録ディスクにおける外周側にパーティションを作成するとともに、未使用領域を各記録ディスクにおける内周側に設定する。すなわちパーティション作成手段は、未使用領域を、複数の記録ディスクのうち特定のものに集中して設定することを避け、各記録ディスクに分散して設定する。さらに、未使用領域を各記録ディスクにおける内周側に設定している。逆に、データの読み書きに利用するパーティションを、各記録ディスクの外周側に作成する。
【００４２】
一般に、記録ディスクにおいては、外周に近い領域ほど、ディスクの線速度が速くなる。したがって、アクセス速度もより高速になる。ここで、上記の構成によれば、パーティション作成手段は、各記録ディスクにおける外周側にパーティションを作成する一方、内周側に未使用領域を設定する。したがって、アクセスに即時性の求められるパーティションが、アクセス速度のより速い位置に設けられることになる。一方で、アクセスする必要のない未使用領域は、アクセス速度のより遅い位置に設定される。
【００４３】
以上のように、記録再生装置は、データの即時性に応じた最適なパーティションを各記録ディスクに作成できる効果を奏する。したがって、ストリームデータや一般データの記録および再生を、より早く処理できるようになる。
【００４４】
また、本発明に係る記録再生装置では、さらに、
上記パーティション作成手段は、
あらかじめ定められたデータ記憶容量設定値を上記記録ディスクの数で割った値の容量の、一般データを記録するためのデータパーティションを、各上記記録ディスクに作成するとともに、
上記パーティション容量算出手段によって算出された容量から、上記データパーティションの容量を減算した値の容量の上記パーティションを、ストリームデータを記録するためのストリームパーティションとして上記記録ディスクに作成することが好ましい。
【００４５】
上記の構成によれば、パーティション作成手段は、あらかじめ定められたデータ記憶容量設定値を記録ディスクの数で割った値の容量の、一般データを記録するためのデータパーティションを、各記録ディスクに作成すると。同時に、パーティション容量算出手段によって算出された容量から、データパーティションの容量を減算した値の容量のパーティションを、ストリームデータを記録するためのストリームパーティションとして記録ディスクに作成する。
【００４６】
以上のように、記録ディスクの交換や変更の前後において、記録再生装置が利用するストリームパーティションおよびデータパーティションの容量は変化しない。したがって記録再生装置は、記録ディスクの交換や変更の前と同じ仕様に従い、ストリームデータおよび一般データをそれぞれ記録再生できる効果を奏する。
【００４７】
また、本発明に係る記録再生装置では、さらに、
上記パーティション作成手段は、
各上記記録ディスクにおける外周側から順に、上記ストリームパーティションおよび上記データパーティションを作成することが好ましい。
【００４８】
一般に、記録ディスクにおいては、外周に近い領域ほど、ディスクの線速度が速くなる。したがって、アクセス速度もより高速になる。ここで、上記の構成によれば、パーティション作成手段は、各記録ディスクにおける外周側から順に、ストリームパーティションおよびデータパーティションを作成する。したがって、アクセスにもっとも即時性の求められるストリームパーティションが、もっともアクセス速度の速い位置に設けられることになる。また、つぎに即時性の求められるデータパーティションが、ストリームパーティションのつぎにアクセス速度の速い位置に設けられる。なお、アクセスする必要のない未使用領域を設定する必要があるなら、もっともアクセス速度の遅い位置（最内周側）に設定すればよい。
【００４９】
以上のように、記録再生装置は、データの即時性に応じた最適なパーティションを各記録ディスクに作成できる効果を奏する。したがって、ストリームデータや一般データの記録および再生を、より早く処理できるようになる。
【００５０】
なお、上記記録再生装置は、コンピュータによって実現してもよい。この場合、コンピュータを上記各手段として動作させることにより上記記録再生装置をコンピュータにおいて実現するプログラム、およびそのプログラムを記録したコンピュータ読み取り可能な記録媒体も、本発明の範疇に入る。
【発明の効果】
【００５１】
以上のように、本発明に係る記録再生装置は、あらかじめ定められた全記憶容量設定値よりも、各上記記録ディスクの全記憶容量を足し合わせた値の方が大きいとき、上記全記憶容量設定値のパーティションを、上記ストリームデータを読み書きするためのパーティションとして上記記録ディスクに作成するパーティション作成手段を備えているため、記録ディスクの変更や追加があった後でも、使用する記憶容量を増加させることのない効果を奏する。
【発明を実施するための最良の形態】
【００５２】
本発明の一実施形態について、図１〜図５を参照して以下に説明する
〔記録再生装置１の構成〕
まず、本実施形態に係る記録再生装置１の構成について、図１を参照して以下に説明する。図１は、本発明の一実施形態に係る記録再生装置１の要部構成を示すブロック図である。この図に示すように、記録再生装置１は、操作部２、入力部３、出力部４、記録装置７、バッファメモリ５、容量設定値メモリ６、および制御部１０を備えている。
【００５３】
本発明の記録再生装置１において、入力部３からテレビジョン信号が入力される。入力部３は、代表的な実施の形態として、テレビジョン放送の地上波デジタル放送やＢＳデジタル放送の信号波を受信するためのアンテナ、信号波を復調してデジタル信号を取り出すチューナーなどからなり、テレビジョン放送のデジタル信号を記録再生装置１に入力する機能を有する。
【００５４】
制御部１０は、再生制御部１１、録画制御部１２、パーティション容量算出部１３、およびパーティション作成部１４を備えている。入力部３から入力されたデジタル信号は、録画制御部１２の制御を受けてバッファメモリ５にいったん蓄積される。
【００５５】
好ましい実施の形態においては、ユーザが操作部２を操作して記録再生装置１に録画処理の開始を指示すると、録画制御部１２が、上述したバッファメモリ５に蓄積されていたデジタル信号を記録装置７に記録する。記録装置７は固定式の磁気記録ディスクを内蔵しており、たとえばハードディスクドライブに相当する。
【００５６】
ユーザが操作部２を操作して記録再生装置１に再生処理の開始を指示すると、再生制御部１１は記録装置７から記録済みのデジタル信号を読み出し、出力部４に送る。出力部４は、デジタル信号を復号して映像と音声を取り出し、モニタとスピーカによりユーザに提示する。
【００５７】
記録再生装置１は、初回利用時に、記録装置７の初期化処理を実行する。ユーザからの初期化処理が入力部３から指示されたときも同様である。なお、ここでいう初期化処理とは、記録装置７にパーティションを作成する処理のことをいう。厳密には、記録装置７に内蔵されている記録ディスクにパーティションを作成する（割り当てる）処理を意味するが、以下では説明の便宜上、記録装置７にパーティションを作成することと、記録ディスクにパーティションを作成することとを、同じ意味として扱っている。
【００５８】
また、図１では、記録装置７が１つだけ表示されている。しかし、記録再生装置１が利用できる記録装置７は１台に限らず、複数台であってもよい。
【００５９】
（初期化処理の流れ）
記録再生装置１は、記録装置７に２種類の異なるパーティションを作成する。１つは、ストリームデータを読み書きするためのストリームパーティションであり、もう一つは、一般データを読み書きするためのデータパーティションである。ストリームデータは、動画像信号そのものである。一般データは、ストリームデータの記録再生などに使用される付加情報である。ストリームデータの容量は一般データの容量に比べて非常に大きい。
【００６０】
記録再生装置１が記録装置７において実際に利用するパーティションの総容量は、全記憶容量設定値Ｖａとしてあらかじめ定められている。具体的には、容量設定値メモリ６にデータとして記憶されている。また、記録再生装置１が記録装置７において実際に利用するデータパーティションの総容量は、データパーティション容量設定値Ｖｄとしてあらかじめ定められている。具体的には、容量設定値メモリ６にデータとして記憶されている。記録再生装置１は、記録装置７を初期化するとき、これらのデータを利用する。
【００６１】
記録装置７の初期化処理について、以下に説明する。まず、記録再生装置１が、記録装置７の１台当たりのデータパーティション容量Ｄを算出するまでの過程を説明する。図２は、パーティション容量算出部１３が、記録装置７の１台当たりのデータパーティション容量Ｄを算出するときの処理の流れを示すフローチャートである。
【００６２】
この図に示すように、パーティション容量算出部１３はまず、記録再生装置１接続されている記録装置７の台数Ｎを取得する（ステップＳ２０１）。つぎに、容量設定値メモリ６から、記録再生装置１における全記憶容量設定値Ｖａおよびデータパーティション容量設定値Ｖｄを取得する（ステップＳ２０２、ステップＳ２０３）。パーティション容量算出部１３は、データパーティション容量設定値Ｖｄを記録装置７の台数Ｎで割ることによって、記録装置７の１台当たりのデータパーティション容量Ｄを算出する（ステップＳ２０４）。
【００６３】
（パーティションの作成処理）
つぎに、記録再生装置１が、各記録装置７にパーティションを作成する処理の流れを説明する。図３は、記録再生装置１が、各記録装置７にパーティションを作成する処理の流れを示すフローチャートである。
【００６４】
この図に示すように、パーティション容量算出部１３は、パーティション作成対象の記録装置７を１つ、選択する（ステップＳ３０１）。そして、選択した記録装置７の全記憶容量Ａｉを、この記録装置７から取得する（ステップＳ３０２）。
【００６５】
つぎにパーティション容量算出部１３は、全記憶容量設定値Ｖａが「０」か否かを判定する（ステップＳ３０３）。この処理はエラー発生の対策のためである。ステップＳ３０３における判定の結果が「偽」であるとき（Ｎｏ）、パーティション容量算出部１３は、選択した記録装置７の全記憶容量Ａｉが、全記憶容量設定値Ｖａよりも小さいか否かを判定する（ステップＳ３０４）
記録装置７の全記憶容量Ａｉが、全記憶容量設定値Ｖａより小さいとき（Ｙｅｓ）、全記憶容量Ａｉを、記録装置７において実際に使用するパーティションの容量Ａ’ｉとして算出する（ステップＳ３０５）。一方、記録装置７の全記憶容量Ａｉが、全記憶容量設定値Ｖａより大きいとき（Ｙｅｓ）、全記憶容量設定値Ｖａを、容量Ａ’ｉとして算出する（ステップＳ３０６）。
【００６６】
つぎにパーティション容量算出部１３は、記憶容量設定値Ｖａから、容量Ａ’ｉを減算する（ステップＳ３０７）。この処理により、残りの記録装置７に作成するパーティションの総容量を算出する。
【００６７】
つぎにパーティション容量算出部１３は、容量Ａ’ｉからデータパーティション容量Ｄを減算した値を、ストリームパーティション容量Ｓｉとして算出する（ステップＳ３０８）。すなわち、Ｓｉ＝Ａ’ｉ−Ｄの演算を実行する。
【００６８】
つぎにパーティション作成部１４は、パーティション容量算出部１３によって算出した容量のパーティションを記録装置７に作成する。具体的には、容量Ｓｉを有するストリームパーティションを記録装置７に作成する（ステップＳ３０９）。さらに、容量Ｄを有するデータパーティションを、記録装置７に作成する（ステップＳ３１０）。
【００６９】
つぎにパーティション容量算出部１３は、パーティションを未作成の記録装置７があるか否かを判定する（ステップＳ３１１）。ステップＳ３１１における判定の結果が「真」であるとき（Ｙｅｓ）、図３に示す処理はステップＳ３０１に戻る。このときパーティション容量算出部１３は、パーティションを作成する対象として、パーティションが未作成の他の記録装置７を１つ、選択する。以下、ステップＳ３０２以降の処理が行われる。このようにして、ステップＳ３１１に示す処理において「偽」の結果を得るまで、制御部１０は、ステップＳ３０１からステップＳ３１０の処理を繰り返し実行する。
【００７０】
（パーティション作成位置の工夫）
なおパーティション作成部１４は、記録装置７の外周から順にストリームパーティション、データパーティションを作成することが好ましい。このとき、もし、未使用領域を設定する必要があるなら、データパーティションのさらに内側に設定することになる。
【００７１】
一般に、記録装置７においては、外周に近い領域ほど、ディスクの線速度が速くなる。したがって、アクセス速度もより高速になる。ここで、パーティション作成部１４は、各記録装置７における外周側から順に、ストリームパーティションおよびデータパーティションを作成する。したがって、アクセスにもっとも即時性の求められるストリームパーティションが、もっともアクセス速度の速い位置に設けられることになる。また、つぎに即時性の求められるデータパーティションが、ストリームパーティションのつぎにアクセス速度の速い位置に設けられる。なお、アクセスする必要のない未使用領域を設定する必要があるなら、もっともアクセス速度の遅い位置（最内周側）に設定する。
【００７２】
以上のように、記録再生装置１は、データの即時性に応じた最適なパーティションを各記録装置７に作成できる。したがって、ストリームデータや一般データの記録および再生を、より早く処理できるようになる。
【００７３】
（具体例）
以上の処理について、具体的な数字を挙げて以下に説明する。たとえば全記憶容量設定値Ｖａが２００ギガバイトである一方、記録再生装置１が元々、２００ギガバイトの記録装置７をストリームデータの記録再生に利用していたとする。ここで、この記録装置７が故障してしまい、あらたに３００ギガバイトの記録装置７に変更したとする。
【００７４】
記録装置７の変更後、記録再生装置１は、あらたに認識した３００ギガバイトの記録装置７を初期化する。ここで、変更後の記録装置７の全記憶容量（３００ギガバイト）は、全記憶容量設定値Ｖａ（２００ギガバイト）よりも大きい。そのためパーティション作成部１４は、２００ギガバイトのパーティションを記録再生装置１に作成する。残りの１００ギガバイトは、未使用領域として設定する。したがって、記録再生装置１は、記録装置７変更の前後において、規定の２００ギガバイトの容量だけを利用することになる。
【００７５】
以上のように、本発明では、ストリームデータの記録再生に実際に使用するパーティションの総容量を、記録装置７の交換や追加の前後において同一に保つことができる。これにより、旧モデルの記録再生装置１、すなわち出荷当初から搭載される記録装置７を利用し続ける記録再生装置１を所有するユーザに、不公平感を与えることがない。さらには、記録再生装置１の取り扱い説明書や仕様書を、記録装置７の交換や追加後に変更しなくて済む。
【００７６】
また、たとえば、全記憶容量設定値Ｖａが４００ギガバイトだとする。そしてパーティション作成部１４が、１００ギガバイトの全記憶容量を有する記録装置７Ａ、１２０ギガバイトの全記憶容量を有する記録装置７Ｂ、および２００ギガバイトの全記憶容量を有する記録装置７Ｃに、それぞれパーティションを作成するとする。このとき、１００＋１２０＋２００＝４２０ギガバイトであり、この値は全記憶容量設定値Ｖａ（４００ギガバイト）よりも大きい。したがってパーティション作成部１４は、これら３つの記録装置７に合計して４００ギガバイトのパーティションをそれぞれ作成する。
【００７７】
ここで、パーティション作成部１４が、まず、パーティションの作成対象として、記録装置７Ａを選択したとする。このときパーティション容量算出部１３は、記録装置７Ａの全記憶容量（１００ギガバイト）と、全記憶容量設定値Ｖａ（４００ギガバイト）とを比較する。前者は後者よりも小さいので、パーティション容量算出部１３は、記録装置７Ａに作成するパーティションの容量として、１００ギガバイトを算出する。これによりパーティション作成部１４は、１００ギガバイトのパーティションを記録装置７Ａに作成する。
【００７８】
つぎに、パーティション作成部１４が、パーティションの作成対象として、記録装置７Ｂを選択したとする。パーティション容量算出部１３は、全記憶容量設定値Ｖａ（４００ギガバイト）から、記録装置７Ａに作成済みのパーティションの容量（１００ギガバイト）を減算する。この値は３００ギガバイトである。記録装置７Ｂの全記憶容量（１２０ギガバイト）は、３００ギガバイトよりも小さいので、パーティション容量算出部１３は、記録装置７Ｂに作成するパーティションの容量として、１２０ギガバイトを算出する。これによりパーティション作成部１４は、１２０ギガバイトのパーティションを記録装置７Ｂに作成する。
【００７９】
最後にパーティション作成部１４は、パーティションの作成対象として、記録装置７Ｃを選択する。このときパーティション容量算出部１３は、全記憶容量設定値Ｖａ（４００ギガバイト）から、記録装置７Ａに作成済みのパーティションの容量（１００ギガバイト）と、記録装置７Ｂに作成済みのパーティションの容量（１２０ギガバイト）とを減算する。この値は１８０ギガバイトである。記録装置７Ｂの全記憶容量（２００ギガバイト）は、１８０ギガバイトよりも大きいので、パーティション容量算出部１３は、記録装置７Ｂ作成するパーティションの容量として、記録装置７Ｂの全記憶容量（２００ギガバイト）ではなく、１８０ギガバイトを算出する。これによりパーティション作成部１４は、１８０ギガバイトのパーティションを記録装置７Ｃに作成する。記録装置７Ｂの有する残りの２０ギガバイトについては、未使用領域として設定する。
【００８０】
上記の構成によれば、パーティション作成部１４は、あらかじめ定められたデータ記憶容量設定値Ｖｄを記録装置７の数で割った値の容量の、一般データを記録するためのデータパーティションを、各記録装置７に作成すると。同時に、パーティション容量算出部１３によって算出された容量から、データパーティションの容量を減算した値の容量のパーティションを、ストリームデータを記録するためのストリームパーティションとして記録装置７に作成する。
【００８１】
以上のように、記録装置７の交換や変更の前後において、記録再生装置１が利用するストリームパーティションおよびデータパーティションの容量は変化しない。したがって記録再生装置１は、記録装置７の交換や変更の前と同じ仕様に従い、ストリームデータおよび一般データをそれぞれ記録再生できる。
【００８２】
（初期化処理の他の例）
なお、記録再生装置１は、上述した初期化とは異なる手順を踏む初期化処理を実行することもできる。そこで、記録再生装置１が実行する、記録装置７の他の初期化処理について、図４および図５を参照して以下に説明する。まず、記録装置７の１台当たりのデータパーティション容量Ｄを算出するまでの過程を説明する。図４は、パーティション容量算出部１３が、記録装置７の１台当たりのデータパーティション容量Ｄを算出するときの処理の流れを示すフローチャートである。
【００８３】
ステップＳ４０１からステップＳ４０３は、それぞれ図２に示すステップＳ２０１からＳ２０３と同じ処理なので、説明を省略する。ステップＳ４０３の処理を終了したあと、パーティション容量算出部１３は、記録装置７に接続されている各記録装置７の容量（Ａ１、Ａ２、・・・Ａｎ）を、それぞれ取得する（ステップＳ４０４）。
【００８４】
つぎにパーティション容量算出部１３は、取得した各記録装置７の容量の総計（容量Ａａ）を算出する（ステップＳ４０５）。すなわち、Ａａ＝Ａ１＋Ａ２＋・・・Ａｎの処理を実行する。
`  つぎにパーティション容量算出部１３は、全記憶容量設定値Ｖａが総容量Ａａよりも小さいか否かを判定する（ステップＳ４０６）。ステップＳ４０６における判定の結果が「真」であるとき（Ｙｅｓ）、パーティション容量算出部１３は、記録装置７全体における未使用領域の容量Ｕａを、Ｕａ＝Ｖａ−Ａａによって算出する（ステップＳ４０７）。一方、ステップＳ４０６における判定の結果が「偽」であるとき（Ｎｏ）、パーティション容量算出部１３は、未使用領域容量Ｕａを「０」として算出する（ステップＳ４０８）。
【００８５】
つぎにパーティション容量算出部１３は、未使用領域容量Ｕａを記録装置７の接続台数Ｎで除算することによって、記録装置７の１台あたりの未使用領域容量Ｕを算出する（ステップＳ４０９）。すなわち、Ｕ＝Ｕａ÷Ｎの処理を実行する。
【００８６】
つぎにパーティション容量算出部１３は、データパーティション容量設定値Ｖｄを記録装置７の台数Ｎで割ることによって、記録装置７の１台当たりのデータパーティション容量Ｄを算出する（ステップＳ４１０）。この処理はステップＳ２０４と同様のものである。
【００８７】
（パーティションの作成処理）
つぎに、記録再生装置１が、各記録装置７にパーティションを作成する処理の流れを説明する。図５は、記録再生装置１が、各記録装置７にパーティションを作成する処理の流れを示すフローチャートである。
【００８８】
この図に示すように、パーティション容量算出部１３は、パーティション作成対象の記録装置７を１つ、選択する（ステップＳ５０１）。そして、選択した記録装置７の全記憶容量Ａｉを、この記録装置７から取得する（ステップＳ３０２）。
【００８９】
つぎにパーティション容量算出部１３は、全記憶容量Ａｉから、記録装置７の１台あたりの未使用領域容量Ｕを減算することによって、実際に使用する領域容量Ａｉ’を算出する（ステップＳ５０３）。つぎに、全記憶容量設定値Ｖａから、容量Ａｉ’を減算する（ステップＳ５０４）。
【００９０】
つぎに、Ａｉ’から、ＵおよびＤを減算することによって、ストリームパーティション容量Ｓｉを算出する（ステップＳ５０５）。すなわち、Ｓｉ＝Ａｉ’−Ｕ−Ｄの処理を実行する。
【００９１】
つぎにパーティション作成部１４は、パーティション容量算出部１３によって算出した容量のパーティションを記録装置７に作成する。具体的には、容量Ｓｉを有するストリームパーティションを記録装置７に作成する（ステップＳ５０６）。さらに、容量Ｄを有するデータパーティションを、記録装置７に作成する（ステップＳ５０７）。
【００９２】
つぎにパーティション容量算出部１３は、パーティションを未作成の記録装置７があるか否かを判定する（ステップＳ５０８）。ステップＳ３１１における判定の結果が「真」であるとき（Ｙｅｓ）、図５に示す処理はステップＳ５０１に戻る。このときパーティション容量算出部１３は、パーティションを作成する対象として、パーティションが未作成の他の記録装置７を１つ、選択する。以下、ステップＳ５０２以降の処理が行われる。このようにして、ステップＳ５０８に示す処理において「偽」の結果を得るまで、制御部１０は、ステップＳ５０１からステップＳ５０７の処理を繰り返し実行する。
【００９３】
（パーティション作成位置の工夫）
なおパーティション作成部１４は、記録装置７の外周から順にストリームパーティション、データパーティションを作成することが好ましい。このとき、データパーティションのさらに内側に、未使用領域を設定することになる。すなわちパーティション作成部１４は、未使用領域を、複数の記録装置７のうち特定のものに集中して設定することを避け、各記録装置７に分散して設定する。さらに、未使用領域を各記録装置７における内周側に設定している。逆に、データの読み書きに利用するパーティションを、各記録装置７の外周側に作成する。
【００９４】
一般に、記録装置７においては、外周に近い領域ほど、ディスクの線速度が速くなる。したがって、アクセス速度もより高速になる。ここで、上記の構成によれば、パーティション作成部１４は、各記録装置７における外周側にパーティションを作成する一方、内周側に未使用領域を設定する。したがって、アクセスに即時性の求められるパーティションが、アクセス速度のより速い位置に設けられることになる。一方で、アクセスする必要のない未使用領域は、アクセス速度のより遅い位置に設定される。
【００９５】
以上のように、記録再生装置１は、データの即時性に応じた最適なパーティションを各記録装置７に作成できる効果を奏する。したがって、ストリームデータや一般データの記録および再生を、より早く処理できるようになる。
【００９６】
（具体例）
以上の処理について、具体的な数字を挙げて以下に説明する。記録再生装置１は複数の記録装置７を利用する。すなわち複数の記録装置７にストリームデータを記録する。
【００９７】
パーティション作成部１４は、全記憶容量設定値Ｖａを、記録装置７の数で割った値の容量のパーティションを、各記録装置７に作成するとともに、各記録装置７における残りの領域を未使用領域として設定する。
【００９８】
たとえば、全記憶容量設定値Ｖａが３００ギガバイトだとする。そしてパーティション作成部１４が、１２０ギガバイトの全記憶容量を有する記録装置７Ａ、１５０ギガバイトの全記憶容量を有する記録装置７Ｂ、および２００ギガバイトの全記憶容量を有する記録装置７Ｃに、それぞれパーティションを作成するとする。このとき、１２０＋１５０＋２００＝４７０ギガバイトであり、この値は全記憶容量設定値Ｖａ（３００ギガバイト）よりも大きい。したがってパーティション作成部１４は、これら３つの記録装置７に合計して３００ギガバイトのパーティションをそれぞれ作成する。
【００９９】
ここで、パーティション容量算出部１３は、全記憶容量設定値Ｖａを、記録装置７の数で割った値の容量を算出する。上記の例では、全記憶容量設定値Ｖａは３００ギガバイトであり、記録装置７の数は３つである。そのため、３００÷３＝１００ギガバイトを、各記録装置７に作成するパーティションの容量として算出する。
【０１００】
パーティション作成部１４は、１００ギガバイトのパーティションを、記録装置７Ａ、記録装置７Ｂ、および記録装置７Ｃにそれぞれ作成する。記録装置７Ａの全記憶容量は１２０ギガバイトである。そのためパーティション作成部１４は、１００ギガバイトのパーティションを記録装置７に作成するとともに、残りの２０ギガバイトを、記録装置７Ａの内周側に未使用領域として設定する。
【０１０１】
同様に、記録装置７Ｂの全記憶容量は１５０ギガバイトである。そのためパーティション作成部１４は、１００ギガバイトのパーティションを記録装置７Ｂに作成するとともに、残りの５０ギガバイトを、記録装置７Ｂの内周側に未使用領域として設定する。
【０１０２】
同様に、記録装置７Ｃの全記憶容量は２００ギガバイトである。そのためパーティション作成部１４は、２００ギガバイトのパーティションを記録装置７Ｃに作成するとともに、残りの１００ギガバイトを、記録装置７Ｃの内周側に未使用領域として設定する。
【０１０３】
以上のように、パーティション作成部１４は、利用可能なパーティションの容量を、各記録装置７に分散して割り当てている。これにより、記録装置７の故障によるデータ消失のリスクを最小限にすることができる。
【０１０４】
なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【０１０５】
（パーティション作成プログラムおよび記録媒体）
最後に、記録再生装置１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１０６】
すなわち記録再生装置１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【０１０７】
この構成により、本発明の目的は、所定の記録媒体によっても達成できる。この記録媒体は、上述した機能を実現するソフトウェアである記録再生装置１の制御プログラムのプログラムコード（実行形式プログラム、中間コードプログラム、ソースプログラム）をコンピュータで読み取り可能に記録していればよい。記録再生装置１にこの記録媒体を供給する。これにより、コンピュータとしての記録再生装置１（またはＣＰＵやＭＰＵ）が、供給された記録媒体に記録されているプログラムコードを読み出し、実行すればよい。
【０１０８】
プログラムコードを記録再生装置１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１０９】
また記録再生装置１は、通信ネットワークと接続可能に構成しても、本発明の目的を達成できる。この場合、上記のプログラムコードを、通信ネットワークを介して記録再生装置に供給する。この通信ネットワークは、記録再生装置にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１１０】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１１】
本発明は、動画像信号などのストリームデータを記録装置に読み書きする記録再生装置、たとえば、ハードディスクレコーダなどとして、幅広く利用できる。
【図面の簡単な説明】
【０１１２】
【図１】本発明の一実施形態に係る録画再生装置の要部構成を示すブロック図である。
【図２】パーティション容量算出部が、記録装置の１台当たりのデータパーティション容量Ｄを算出するときの処理の流れを示すフローチャートである。
【図３】録画再生装置が、各記録装置にパーティションを作成する処理の流れを示すフローチャートである。
【図４】パーティション容量算出部が、記録装置の１台当たりのデータパーティション容量Ｄを算出するときの処理の流れを示すフローチャートである。
【図５】録画再生装置が、各記録装置にパーティションを作成する処理の流れを示すフローチャートである。
【符号の説明】
【０１１３】
１    録画再生装置
２    操作部
３    入力部
４    出力部
７    記録装置
５    バッファメモリ
６    容量設定値メモリ
１０  制御部
１１  再生制御部
１２  録画制御部
１３  パーティション容量算出部（パーティション容量算出手段）
１４  パーティション作成部（パーティション作成手段）
【図１】
0004694418.tif 000002
【図２】
0004694418.tif 000003
【図３】
0004694418.tif 000004
【図４】
0004694418.tif 000005
【図５】
0004694418.tif 000006